(57)【要約】【課題】汚染空気の拡散を防止して法定管理濃度をクリアでき、しかも換気量を単純に増大させることなく効率的に換気できる病理検査室用脱臭システムを提供することにある。【解決手段】病理検査作業用のテーブル平面１１が通気性を有して吸引によって作業空間の汚染空気を排出可能に設けられた吸引テーブル１０と、吸引テーブル１０に第１の通気路２１を介して接続されて汚染空気を吸引する送風機２０と、送風機２０に第２の通気路３１を介して接続されてホルムアルデヒドを含む汚染物質を除去する第１の脱臭装置３０と、第１の脱臭装置３０に第３通気路４１を介して接続されて病理検査室の天井４２からその室内４３へ開口して設けられ、浄化された空気を病理検査室内へ戻す天井の吹出口４０と、第１の脱臭装置３０とは別の方式による脱臭機能を有して第３の通気路４１中などに接続される第２の脱臭装置５０とを具備する。【選択図】図１
2010279679.tif 000002
【特許請求の範囲】
【請求項１】
病理検査作業用のテーブル平面が通気性を有して吸引によって作業空間の汚染空気を排出可能に設けられた吸引テーブルと、
該吸引テーブルに第１の通気路を介して接続されて汚染空気を吸引する送風機と、
該送風機に第２の通気路を介して接続されてホルムアルデヒドを含む汚染物質を除去する第１の脱臭装置と、
該第１の脱臭装置に第３の通気路を介して接続されて病理検査室の天井から該室内へ開口して設けられ、浄化された空気を病理検査室内へ戻す天井の吹出口と、
前記第１の脱臭装置とは別の方式による脱臭機能を有して前記第３の通気路中又は外気を連通する外気取入れ通気路中に接続される第２の脱臭装置とを具備することを特徴とする病理検査室用脱臭システム。
【請求項２】
水槽と、該水槽の上面において空気を奥上部の吐出口及び手前下部の吐出口の二方向から対向するように吐出させるエアカーテン機構と、前記水槽と前記奥上部の吐出口との間で且つ奥部に開口して汚染空気を排出可能に設けられた排出口とを備える流し台が、前記第１の通路を介して前記送風機に接続されていることを特徴とする請求項１記載の病理検査室用脱臭システム。
【請求項３】
前記第１の脱臭装置が吸着作用又は酸化触媒作用による脱臭効果を利用したものであり、前記第２の脱臭装置が酸素クラスターイオン作用による脱臭効果を利用したものであることを特徴とする請求項１又は２記載の病理検査室用脱臭システム。
【請求項４】
前記吸引テーブルには、奥部に前側面がテーブル平面上の汚染空気を吸引可能に、通気性を有する奥部吸引口が設けられていることを特徴とする請求項１〜３のいずれかに記載の病理検査室用脱臭システム。
【請求項５】
前記吸引テーブルには、前記テーブル平面がパンチングメタルによって設けられ、内部に整流板が配されることで均一な通気性を有することを特徴とする請求項１〜４のいずれかに記載の病理検査室用脱臭システム。
【請求項６】
前記吸引テーブルが、解剖作業を行う処置台であって、前記テーブル平面のうち周囲部が通気性を有して吸引によって作業空間の汚染空気を排出可能に設けられ、該処置台の周縁に空気の流れを規制する仕切板が内側へ傾斜可能に設けられていることを特徴とする請求項１〜５のいずれかに記載の病理検査室用脱臭システム。
【請求項７】
前記処置台のテーブル平面の周囲部が、通気路となるように溝状に設けられている溝状部に、上面が通気性を有して前記処置台の周縁部に位置する辺部に前記仕切板が蝶番で取り付けられて設けられている周囲ユニットが嵌め置かれていることで構成されていることを特徴とする請求項６記載の病理検査室用脱臭システム。
【請求項８】
前記溝状部の底面に汚染空気を排出するための開口が複数設けられると共に、該開口の周縁には立上げ部が設けられ、
該立上げ部に上から嵌るようにして前記開口を覆うように形成されると共に天面が塞がれて周壁に通気性を有することで水切り用に設けられたキャップを備えることを特徴とする請求項７記載の病理検査室用脱臭システム。
【請求項９】
前記処置台の下部に、前記複数の開口から接続管を介して汚染空気が合流されるように合流チャンバーが設けられ、該合流チャンバーが前記第１の通気路に接続されていることを特徴とする請求項８記載の病理検査室用脱臭システム。
【発明の詳細な説明】
【技術分野】
【０００１】
本発明は、病理検査室に用いられる主にホルムアルデヒドを除去するハイブリッド型の脱臭システムに関する。
【背景技術】
【０００２】
従来、病院の病理検査室では、給気用送風機と排気用送風機とを利用して部屋全体の換気量を一定以上に高めることによって換気を行っている。しかしながら、そのような換気方法では、例えばホルムアルデヒドの拡散を適切に防止できず、ホルムアルデヒドの最近の法定管理濃度をクリアすることが難しい状況になっている。
【０００３】
これに対しては、換気量をさらに増やして、汚染空気を排出させる対策が考えられる。しかしながら、換気量を増やすことは、温度調整された室内空気を室外へ大量に排出することになり、熱エネルギーが無駄に消費されることになる。また、大型の送風機等の新たな設備を必要として、それらの設置コストが膨大となる。
【０００４】
病理検査室用脱臭システムに関連する先行技術としては、被処置物が載置される台部を有し、該台部上の汚染空気を吸引して脱臭する脱臭装置を備え、前記台部の上方に下降空気流を発生させる送風機が設置され、前記台部の両側部に、前記下降空気流によって供給された空気を取り込んで前記脱臭装置へ送るべく、吸入口が設けられた脱臭装置付処置台が本出願人によって提案されている（特許文献１参照）。しかしながら、これは、個々の脱臭装置付処置台に関するもので、排気を要する複数の装置が設置された病理検査室の脱臭システムとして提案されているものではない。
【０００５】
また、エアカーテンの機能を用い、槽の液界面から発生する有害ガスを効果的に排気することができるガス処理装置が提案されている（特許文献２参照）。しかしながら、これは、個々のガス処理装置に関するもので、排気を要する複数の装置が設置された病理検査室の脱臭システムとして提案されているものではない。
【先行技術文献】
【特許文献】
【０００６】
【特許文献１】特開２００６−２３９４０８号公報（図８、９）
【特許文献２】特開平０８−１１２４号公報（第１頁）
【発明の概要】
【発明が解決しようとする課題】
【０００７】
病理検査室用脱臭システムに関して解決しようとする問題点は、従来のシステムでは汚染空気の拡散を適切に防止できず、汚染空気の最近の法定管理濃度をクリアすることが難しく、換気量を単純に増大させた場合は設備及び運転のためのコストが嵩むという点にある。
そこで本発明の目的は、汚染空気の拡散を防止して法定管理濃度をクリアでき、しかも換気量を単純に増大させることなく効率的に換気できる病理検査室用脱臭システムを提供することにある。
【課題を解決するための手段】
【０００８】
本発明は、上記目的を達成するために次の構成を備える。
本発明にかかる病理検査室用脱臭システムの一形態によれば、病理検査作業用のテーブル平面が通気性を有して吸引によって作業空間の汚染空気を排出可能に設けられた吸引テーブルと、該吸引テーブルに第１の通気路を介して接続されて汚染空気を吸引する送風機と、該送風機に第２の通気路を介して接続されてホルムアルデヒドを含む汚染物質を除去する第１の脱臭装置と、該第１の脱臭装置に第３の通気路を介して接続されて病理検査室の天井から該室内へ開口して設けられ、浄化された空気を病理検査室内へ戻す天井の吹出口と、前記第１の脱臭装置とは別の方式による脱臭機能を有して前記第３の通気路中又は外気を連通する外気取入れ通気路中に接続される第２の脱臭装置とを具備する。
【０００９】
また、本発明にかかる病理検査室用脱臭システムの一形態によれば、水槽と、該水槽の上面において空気を奥上部の吐出口及び手前下部の吐出口の二方向から対向するように吐出させるエアカーテン機構と、前記水槽と前記奥上部の吐出口との間で且つ奥部に開口して汚染空気を排出可能に設けられた排出口とを備える流し台が、前記第１の通路を介して前記送風機に接続されていることを特徴とすることができる。
【００１０】
また、本発明にかかる病理検査室用脱臭システムの一形態によれば、前記第１の脱臭装置が吸着作用又は酸化触媒作用による脱臭効果を利用したものであり、前記第２の脱臭装置が酸素クラスターイオン作用による脱臭効果を利用したものであることを特徴とすることができる。
【００１１】
また、本発明にかかる病理検査室用脱臭システムの一形態によれば、前記吸引テーブルには、奥部に前側面がテーブル平面上の汚染空気を吸引可能に、通気性を有する奥部吸引口が設けられていることを特徴とすることができる。
また、本発明にかかる病理検査室用脱臭システムの一形態によれば、前記吸引テーブルには、前記テーブル平面がパンチングメタルによって設けられ、内部に整流板が配されることで均一な通気性を有することを特徴とすることができる。
【００１２】
また、本発明にかかる病理検査室用脱臭システムの一形態によれば、前記吸引テーブルが、解剖作業を行う処置台であって、前記テーブル平面のうち周囲部が通気性を有して吸引によって作業空間の汚染空気を排出可能に設けられ、該処置台の周縁に空気の流れを規制する仕切板が内側へ傾斜可能に設けられていることを特徴とすることができる。
【００１３】
また、本発明にかかる病理検査室用脱臭システムの一形態によれば、前記処置台のテーブル平面の周囲部が、通気路となるように溝状に設けられている溝状部に、上面が通気性を有して前記処置台の周縁部に位置する辺部に前記仕切板が蝶番で取り付けられて設けられている周囲ユニットが嵌め置かれていることで構成されていることを特徴とすることができる。
【００１４】
また、本発明にかかる病理検査室用脱臭システムの一形態によれば、前記溝状部の底面に汚染空気を排出するための開口が複数設けられると共に、該開口の周縁には立上げ部が設けられ、該立上げ部に上から嵌るようにして前記開口を覆うように形成されると共に天面が塞がれて周壁に通気性を有することで水切り用に設けられたキャップを備えることを特徴とすることができる。
【００１５】
また、本発明にかかる病理検査室用脱臭システムの一形態によれば、前記処置台の下部に、前記複数の開口から接続管を介して汚染空気が合流されるように合流チャンバーが設けられ、該合流チャンバーが前記第１の通気路に接続されていることを特徴とすることができる。
【発明の効果】
【００１６】
本発明の病理検査室用脱臭システムによれば、汚染空気の拡散を防止して法定管理濃度をクリアでき、しかも換気量を単純に増大させることなく効率的に換気できるという有利な効果を奏する。
【図面の簡単な説明】
【００１７】
【図１】本発明に係る病理検査室用脱臭システムの形態例を示す説明図である。
【図２】本発明に係る病理検査室用脱臭システムの他の形態例を示す説明図である。
【図３】天井の吹出口の形態例を示す断面図及び平面図である。
【図４】本発明に係る吸引テーブルの他の形態例を示す斜視図である。
【図５】図４の形態例で周囲ユニットとキャップを外した状態の平面図である。
【図６】図４の形態例の詳細を示す断面図である。
【発明を実施するための形態】
【００１８】
以下、本発明の病理検査室用脱臭システムに係る最良の形態例を添付図面と共に詳細に説明する。
図１は本発明に係る病理検査室用脱臭システムを示す説明図である。図２は図１に類似する病理検査室用脱臭システムの他の形態例を示す説明図である。
【００１９】
１０は吸引テーブルであり、少なくとも複数が設けられている。この吸引テーブル１０は、病理検査作業用のテーブル平面１１が実質的に均一な通気性を有して吸引によって作業空間の汚染空気を排出可能に設けられている。
テーブル平面１１の下側は、所要の容量の空気室１２になっており、テーブル平面１１の各部分で均一な流速で汚染空気を吸引できるように整流機構が内蔵されている。
【００２０】
２０は送風機であり、吸引テーブル１０に第１の通気路２１を介して接続されて汚染空気を吸引する。この第１の通気路２１は、複数の吸引テーブル１０等に接続されるようにダクトが分岐された複数の分岐ダクト２２を備えている。これによれば、送風機２０によって、複数の吸引テーブル１０等について汚染空気を集中させて効率よく吸引できるシステムになっている。
また、各分岐ダクト２２には、各吸引テーブル１０等の吸引空気の風量をバランスよくするために、風量調整用のダンパー２３が取付けられている。
【００２１】
３０は第１の脱臭装置であり、送風機２０に第２の通気路３１を介して接続されてホルムアルデヒドを含む汚染物質を除去する。これによれば、病理検査室で最も発生しやすくホルムアルデヒドを高い効率で吸着するか、分解することによって除去して汚染空気を清浄化することができる。
【００２２】
４０は天井の吹出口であり、第１の脱臭装置３０に第３の通気路４１を介して接続されて病理検査室の天井４２からその室内４３へ開口して設けられ、浄化された空気を病理検査室内４３へ戻すように設けられている。
【００２３】
これによれば、室内空気を適切に循環することができ、外部へ排気する場合に比較して冷暖房による空気調整用エネルギーの損失を低減できる。
また、天井４２から吸引テーブル１０等の吸引部（テーブル平面１１等）に向かう一方的な下降流になって、汚染空気が拡散することを防止できる。従って、より効率的に作業空間の環境が劣悪化することを防止でき、室内空気の清浄化を促進することができる。
【００２４】
５０は第２の脱臭装置であり、第１の脱臭装置３０とは別の方式による脱臭機能を有して第３の通気路４１中（図１参照）又は外気を連通する外気取入れ通気路５１中（図２参照）に接続されている。
このように二つの脱臭装置３０、５０による二段階の脱臭によって、脱臭効率をより効率的に高めることができ、作業空間をクリーンな環境に維持できる。
【００２５】
６０は流し台であり、水槽６１と、その水槽６１の上面において空気を奥上部の吐出口６２及び手前下部の吐出口６３の二方向から対向するように吐出させるエアカーテン機構と、水槽６１と奥上部の吐出口６２との間で且つ奥部に開口して汚染空気を排出可能に設けられた排出口６５とを備える。この流し台６０は、吸引テーブル１０と同様に、分岐ダクト２２を含む第１の通路２１を介して排気用の送風機２０に接続されている。
【００２６】
これによれば、奥上部の吐出口６２から斜め下方へ放出される空気と、手前下部の吐出口６３から斜め上方へ放出される空気の合流部の空気を排出口６５から吸引除去できる。
この作用によって、流し台６０から発生する汚染ガスを、室内４３に拡散させることなく、好適に吸引除去することができる。
【００２７】
また、本形態例では、第１の脱臭装置３０が、吸着作用又は酸化触媒作用による脱臭効果を利用したものである。そして、第２の脱臭装置５０が酸素クラスターイオン作用による脱臭効果を利用したものである。
なお、酸素クラスターイオンによる脱臭作用とは、酸素クラスターイオンが汚染物質を包み込んで分解する効果によるものであり、汚染空間へ放出することで、その汚染空気を適切に清浄化できる効果がある。従って、フィルタによる捕捉とは異なって、汚染空気を特定の通気路を通過させることを要しない。
【００２８】
この構成によれば、第１の脱臭装置３０は高濃度の化学汚染物質を浄化・除去するものであり、第２の脱臭装置５０はより低濃度の化学汚染物質を浄化・除去するものになっている。これによれば、酸素クラスターイオン作用による脱臭効果を、より効果的に発揮させることができ、全体の清浄効率を適切に向上させることができる。
【００２９】
また、吸引テーブル１０には、奥部に前側面がテーブル平面１１上の汚染空気を吸引可能に、通気性を有する奥部吸引口１５が設けられている（図２参照）。
これによれば、吸引テーブル１０のテーブル平面１１上に拡散された汚染雰囲気を好適に除去・排出できる。
【００３０】
また、吸引テーブル１０には、テーブル平面１１がパンチングメタルによって設けられ、内部（空気室１２）に整流板が配されることで均一な通気性を有する。
なお、このテーブル平面１１には、パンチングメタルの他にも、整流作用がある均一で適切な開口率を有する網などのメッシュ状の材料を用いてもよい。
【００３１】
また、図２に示すように、７０は収納ボックスであり、上面に開閉扉が設けられていると共に、奥部吸引口１５が設けられている。これによれば、収納ボックス７０が開かれたとときに、内部の汚染空気を拡散しないように奥部吸引口１５から排気・除去できる。
また、１１Ａはテーブル平面の他の形態例であり、周囲が枠状に囲まれており、作業空間が窪んだ状態に形成されている。これにより、水平方向へ移動する汚染空気の流れを阻止して拡散を防止することができる。
【００３２】
次に、本発明に用いることができる天井の吹出口４０の形態例について、図３に基づいて説明する。図３（ａ）は天井の吹出口４０の断面図であり、図３（ｂ）は天井の吹出口４０の底面図である。
本形態例の天井の吹出口４０によれば、天井４２に設置される拡径されたボディ４５内に、水平方向の整流板４７と、上下方向の整流板４８とが設けられている。整流板４７はドーナツ状に形成されており、整流板４８は同心円の帯状に形成されている。なお、４６は接続管部であり、通気路４１、５１に接続される管路になっている。また、４９は閉塞板になっている。
【００３３】
この天井の吹出口４０によれば、空気を吹出口から直接下方に吹き出すのではなく、水平方向の整流板４７及び閉塞板４９によって放射状に水平方向へ広げた後、整流板４８に倣わせて下方へ吹き出すことができる。これによって、天井の吹出口４０から排出される下降気流を、より低速化及び均一化させることができる。例えば、下方への吹き出し気流の流速を０．５ｍ／ｓｅｃ以下の低速にすることができ、吹き出し気流による悪影響を無くすことができる。
【００３４】
次に、図４〜６に基づいて、本発明に係る吸引テーブルの他の形態例を説明する。
この吸引テーブルは、解剖作業を行う処置台８０の形態例である。この処置台８０のテーブル平面８１のうち周囲部８１ａが通気性を有して吸引によって作業空間の汚染空気を排出可能に設けられ、処置台８０の周縁に空気の流れを規制する仕切板９０が内側へ傾斜可能に設けられている。
【００３５】
これによれば、起立した仕切板９０によって空間を区画できるため、作業空間の汚染空気を効率よく排出でき、作業室の環境を良好に保つことができる。また、仕切板９０が、内側へ傾斜可能に設けられているため、作業の邪魔になることを回避できる。この仕切板９０は、複数が幅を区切って並べられた状態に配設されており、作業者が作業をする位置で部分的に内側へ傾斜させて用いることができる。このように必要な部分だけについて仕切板９０を傾斜させればよいため、汚染空気の排出効率を低下させることなく作業性を向上できる。
【００３６】
また、本形態例では、処置台８０のテーブル平面８１の周囲部８１ａが、通気路となるように溝状に設けられている溝状部８５に、上面８８ａが通気性を有して処置台８０の周縁部に位置する辺部８８ｂに仕切板９０が蝶番９１で取り付けられて設けられている周囲ユニット８８が嵌め置かれていることで構成されている。この周囲ユニット８８は、具体的には例えば図６に示すように、断面コの字状の本体の一方の折り曲げ角部に仕切板９０を蝶番９１によって装着することで構成できる。
これによれば、通気性のある周囲部８１ａを、保守管理がし易い合理的な形態に好適に設けることができる。
【００３７】
また、図６に示すような形態によれば、仕切板９０の下部が上面８８ａに当接する位置まで、その仕切板９０が傾斜できるが、それ以上は屈曲できない形状になっている。つまり、仕切板９０が上面８８ａに重なり合うまでは傾斜しない構造であり、汚染空気を常に好適に排出できる形態になっている。
さらに、本形態例の蝶番９１はブレーキ機能を備えるものが採用されており、仕切板９０が任意の角度で保持でき、作業者にとって使い易い構造になっている。
【００３８】
また、溝状部８５の底面８５ａに汚染空気を排出するための開口８６が複数設けられると共に、その開口８６の周縁には立上げ部８６ａが設けられ、その立上げ部８６ａに上から嵌るようにして開口８６を覆うように形成されると共に天面８７ａが塞がれて周壁８７ｂに通気性を有することで水切り用に設けられたキャップ８７を備える。なお、底面８５ａの適宜な位置に水を排出できるドレン口（図示せず）を設ければよい。また、キャップ８７の下部には内側に曲げられた折り曲げ部があり、これによって、キャップ８７が開口８６の中心に位置されるように好適に案内される。
この構造によれば、汚染空気が均等に吸引される整流効果があると共に、水気を好適に切ることができるため、装置の保守管理性と耐久性を向上させることができる。
【００３９】
さらに、処置台８０の下部に、複数の開口８６から接続管８２を介して汚染空気が合流されるように合流チャンバー８３が設けられ、その合流チャンバー８３が第１の通気路２１に接続されている。
これによれば、処置台８０の下部の空間を好適に利用して汚染空気を排出できる通気路をコンパクトに好適に構成できる。
【００４０】
以上、本発明につき好適な形態例を挙げて種々説明してきたが、本発明はこの形態例に限定されるものではなく、発明の精神を逸脱しない範囲内で多くの改変を施し得るのは勿論のことである。
【符号の説明】
【００４１】
１０  吸引テーブル
１１  テーブル平面
１５  奥部吸引口
２０  送風機
２１  第１の通気路
３０  第１の脱臭装置
３１  第２の通気路
４０  天井の吹出口
４１  第３の通気路
４２  天井
４３  室内
５０  第２の脱臭装置
５１  外気取入れ通気路
６０  流し台
６１  水槽
６２  奥上部の吐出口
６３  手前下部の吐出口
６５  排出口
８０  処置台
８１  テーブル平面
８１ａ  周囲部
８２  接続管
８３  合流チャンバー
８５  溝状部
８５ａ  底面
８６  開口
８６ａ  立上げ部
８７  キャップ
８７ａ  天面
８７ｂ  周壁
８８  周囲ユニット
８８ａ  上面
８８ｂ  辺部
９０  仕切板
９１  蝶番
【図１】
2010279679.tif 000003
【図２】
2010279679.tif 000004
【図３】
2010279679.tif 000005
【図４】
2010279679.tif 000006
【図５】
2010279679.tif 000007
【図６】
2010279679.tif 000008